(57)【要約】      （修正有）【課題】繰り返し使えるハンドル、ならびに使い捨て可能なまたは交換可能な装着ユニットなどの着脱可能な及び交換可能な構成部品を有する外科手術器具を提供すること。【解決手段】外科手術器具は、ハンドルフレーム１８、少なくとも１つのプログラム及びメモリを有するマイクロコントローラ、ならびに当該ハンドルフレームにより支持され当該マイクロコントローラと電気的に通信するハンドルインターフェースを有するハンドルを備える。本器具は、当該ハンドルのハンドルフレームと接続して動作するように構成されている筐体２２を有する装着ユニット１６、及びその筐体の遠位端に接続され外科手術作業を実行するように構成されているエンドエフェクタをさらに含む。ブラケットが、装着ユニットに取り付けられ、このブラケットは、装着ユニットに関する認証データ及び識別データのうちの少なくとも一方を有するマイクロチップを含む。【選択図】図１
2018202145.tif 000002
【特許請求の範囲】
【請求項１】
外科手術器具であって、
ハンドルであって、
ハンドルフレーム、
少なくとも１つのプログラム及びメモリを有する、マイクロコントローラ、及び
前記ハンドルフレームにより支持され前記マイクロコントローラと電気的に通信する、ハンドルインターフェース、を含む、ハンドルと、
装着ユニットであって、
前記ハンドルの前記ハンドルフレームと接続して動作するように構成され、長手方向軸を画定し、近位端及び遠位端を有する、筐体、及び
前記筐体の前記遠位端に接続され、外科手術作業を実行するように構成されている、エンドエフェクタ、を含む、装着ユニットと、
前記装着ユニットに取り付けられるブラケットであって、前記ブラケットは、前記装着ユニットに関する認証データ及び識別データのうちの少なくとも一方を有するマイクロチップを含み、前記ブラケットは、前記マイクロチップと通信するブラケットインターフェースを含み、前記ブラケットインターフェースは、前記ハンドルの前記ハンドルインターフェースと電気的に接続するように構成されているブラケットと、を備える、外科手術器具。
【請求項２】
前記ブラケットの前記マイクロチップは、カートリッジのサイズ、ステープル針の配列、ステープル針の長さ、締め付け高さの距離、製造年月日、有効期限、互換特性、一意の識別名、及び使用回数から成る群から選択されたデータを含む、請求項１に記載の外科手術器具。
【請求項３】
前記ブラケットは、線形外科手術ステープル留め装着ユニットに取り付けられている、請求項１に記載の外科手術器具。
【請求項４】
前記ブラケットは、円形ステープル留め装着ユニットに取り付けられている、請求項１に記載の外科手術器具。
【請求項５】
前記ブラケットは、前記装着ユニットに解除可能に取り付けられている、請求項１に記載の外科手術器具。
【請求項６】
前記ハンドルは、前記マイクロコントローラと通信する第１のハンドルインターフェース及び第２のハンドルインターフェースを含み、前記第１のハンドルインターフェースは、第１の装着ユニットの第１のブラケットのブラケットインターフェースと電気的に接続するように構成され、前記第２のハンドルインターフェースは、第２の装着ユニットの第２のブラケットのブラケットインターフェースと電気的に接続するように構成されている、請求項１に記載の外科手術器具。
【請求項７】
前記第１のブラケット及び前記第２のブラケットのそれぞれが、マイクロチップを含む、請求項６に記載の外科手術器具。
【請求項８】
前記第１の装着ユニットは、使い捨て装着ユニット（ＳＵＬＵ）であり、前記第２の装着ユニットは、多目的装着ユニット（ＭＵＬＵ）である、請求項７に記載の外科手術器具。
【発明の詳細な説明】
【技術分野】
【０００１】
本開示は、繰り返し使えるハンドル、ならびに使い捨て可能なまたは交換可能な装着ユニットなどの着脱可能な及び交換可能な構成部品を有する外科手術器具に関する。本開示は、さらに、ハンドルアセンブリに接続される装着ユニットの詳細を認証しかつ／または確認する認証及び情報システムを含む外科手術ステープル留め器具に関する。
【背景技術】
【０００２】
背景
内視鏡手技では、動力式外科手術器具を使用することが、知られている。一般に、動力式器具は、繰り返し使える動力式ハンドルアセンブリ、及びそのハンドルアセンブリに接続することができる交換可能な装着ユニットを備える。この装着ユニットは、使い捨て装着ユニット（ＳＵＬＵ）または多目的装着ユニット（ＭＵＬＵ）とすることができる。この装着ユニットは、筐体及びエンドエフェクタを備え、手術前に、そのハンドルアセンブリ、及び／またはそのハンドルアセンブリと関連付けられたアダプタアセンブリに取り付けられる。そのエンドエフェクタは、複数のステープル針を格納するステープル針カートリッジ、及びステープル針カートリッジと対抗するアンビルを含み得る。
【０００３】
コストを低減しかつ手技時間を短縮するため、ハンドルアセンブリは、様々な特性、例えば厚さ及び密度を有する細胞組織に適用するための各種の装着ユニットと共に使用するように適合されることができる。例えば、これらの装着ユニットは、異なったサイズのステープル針を有することができ、かつ／またはそのステープル針は、異なった構成で配列されることができる。このハンドルアセンブリが、取り付けられた装着ユニットと共に動作するようにプログラムされていることを確実にするため、いくつかの装着ユニットは、集積回路または集積チップを含み、その回路またはチップは、そのハンドルアセンブリと通信して装着ユニットの種類を識別する。これにより、互換性のないまたは非認証の装着ユニットの使用を排除し、別々の装着ユニットの間で切り替えるときの操作者の誤りを低減する。
【０００４】
上述の動力式外科手術器具は、体腔内部の細胞組織をステープル留めする際に通常使用される外科手術ステープラを含むことができる。このような操作環境では、装着ユニットは、流体、例えば血液、胆汁、及び／または洗浄溶液と接触しがちである。チップとハンドルアセンブリとの間の相互接続が損なわれる場合、そのチップは、うまく動作せず、または装着ユニットとハンドルアセンブリとの間のデータ通信が混乱する可能性があり、外科手術ステープラの不安定さまたは動作不能がもたらされる。
【発明の概要】
【課題を解決するための手段】
【０００５】
したがって、本開示は、動力式外科手術器具をさらに改良し、使い捨て可能な装着ユニットとハンドルアセンブリとの間の通信の信頼性を高めることに関する。代表的な実施形態において、外科手術器具は、ハンドルフレーム、少なくとも１つのプログラム及びメモリを有するマイクロコントローラ、及びそのハンドルフレームにより支持されそのマイクロコントローラと電気的に通信するハンドルインターフェースを含む。この器具は、そのハンドルのハンドルフレームと接続して動作するように構成されている筐体を有する装着ユニット、及びその筐体に接続され外科手術作業を実行するように構成されているエンドエフェクタをさらに備える。ブラケットが、その装着ユニットに取り付けられ、このブラケットは、その装着ユニットに関する認証データ及び識別データのうちの少なくとも一方を有するマイクロチップを含む。このブラケットは、配送中及び／または操作中に、装着ユニットの構成部品を不注意に移動させることを防止するように適合された配送ブラケットとすることができる。このブラケットは、マイクロチップと通信しそのハンドルのハンドルインターフェースと電気的に接続するように構成されているブラケットインターフェースを含む。いくつかの実施形態では、そのマイクロチップは、カートリッジのサイズ、ステープル針の配列、ステープル針の長さ、締め付け高さの距離、製造年月日、有効期限、互換特性、一意の識別名、及び他の使用回数から成る群から選択されたデータを含む。
【０００６】
ある特定の実施形態では、そのブラケットは、線形外科手術ステープル留め装着ユニットに取り付けられている。別の方法では、そのブラケットは、円形ステープル留め装着ユニットに取り付けられてもよい。
【０００７】
いくつかの実施形態では、そのブラケットは、装着ユニットに解除可能に実装されている。
【０００８】
いくつかの実施形態では、そのハンドルは、マイクロコントローラと通信する第１のハンドルインターフェース及び第２のハンドルインターフェースを含む。その第１のハンドルインターフェースは、第１の装着ユニットの第１のブラケットのブラケットインターフェースと電気的に接続するように構成され、その第２のハンドルインターフェースは、第２の装着ユニットの第２のブラケットのブラケットインターフェースと電気的に接続するように構成されている。ある特定の実施形態では、第１のブラケット及び第２のブラケットのそれぞれが、マイクロチップを含む。
【０００９】
いくつかの実施形態では、その第１の装着ユニットは、使い捨て装着ユニット（ＳＵＬＵ）であり、その第２の装着ユニットは、多目的装着ユニット（ＭＵＬＵ）である。
【００１０】
本開示の他の特徴は、以下の記載から理解されるであろう。
本願明細書は、例えば、以下の項目も提供する。
（項目１）
外科手術器具であって、
ハンドルであって、
ハンドルフレーム、
少なくとも１つのプログラム及びメモリを有する、マイクロコントローラ、及び
上記ハンドルフレームにより支持され上記マイクロコントローラと電気的に通信する、ハンドルインターフェース、を含む、ハンドルと、
装着ユニットであって、
上記ハンドルの上記ハンドルフレームと接続して動作するように構成され、長手方向軸を画定し、近位端及び遠位端を有する、筐体、及び
上記筐体の上記遠位端に接続され、外科手術作業を実行するように構成されている、エンドエフェクタ、を含む、装着ユニットと、
上記装着ユニットに取り付けられるブラケットであって、上記ブラケットは、上記装着ユニットに関する認証データ及び識別データのうちの少なくとも一方を有するマイクロチップを含み、上記ブラケットは、上記マイクロチップと通信するブラケットインターフェースを含み、上記ブラケットインターフェースは、上記ハンドルの上記ハンドルインターフェースと電気的に接続するように構成されているブラケットと、を備える、外科手術器具。
（項目２）
上記ブラケットの上記マイクロチップは、カートリッジのサイズ、ステープル針の配列、ステープル針の長さ、締め付け高さの距離、製造年月日、有効期限、互換特性、一意の識別名、及び使用回数から成る群から選択されたデータを含む、上記項目に記載の外科手術器具。
（項目３）
上記ブラケットは、線形外科手術ステープル留め装着ユニットに取り付けられている、上記項目のいずれかに記載の外科手術器具。
（項目４）
上記ブラケットは、円形ステープル留め装着ユニットに取り付けられている、上記項目のいずれかに記載の外科手術器具。
（項目５）
上記ブラケットは、上記装着ユニットに解除可能に取り付けられている、上記項目のいずれかに記載の外科手術器具。
（項目６）
上記ハンドルは、上記マイクロコントローラと通信する第１のハンドルインターフェース及び第２のハンドルインターフェースを含み、上記第１のハンドルインターフェースは、第１の装着ユニットの第１のブラケットのブラケットインターフェースと電気的に接続するように構成され、上記第２のハンドルインターフェースは、第２の装着ユニットの第２のブラケットのブラケットインターフェースと電気的に接続するように構成されている、上記項目のいずれかに記載の外科手術器具。
（項目７）
上記第１のブラケット及び上記第２のブラケットのそれぞれが、マイクロチップを含む、上記項目のいずれかに記載の外科手術器具。
（項目８）
上記第１の装着ユニットは、使い捨て装着ユニット（ＳＵＬＵ）であり、上記第２の装着ユニットは、多目的装着ユニット（ＭＵＬＵ）である、上記項目のいずれかに記載の外科手術器具。
（摘要）
外科手術器具は、ハンドルフレーム、少なくとも１つのプログラム及びメモリを有するマイクロコントローラ、ならびに当該ハンドルフレームにより支持され当該マイクロコントローラと電気的に通信するハンドルインターフェースを有するハンドルを備える。本器具は、当該ハンドルのハンドルフレームと接続して動作するように構成されている筐体を有する装着ユニット、及びその筐体の遠位端に接続され外科手術作業を実行するように構成されているエンドエフェクタをさらに含む。ブラケットが、当該装着ユニットに取り付けられ、このブラケットは、当該装着ユニットに関する認証データ及び識別データのうちの少なくとも一方を有するマイクロチップを含む。
【００１１】
動力式外科手術ステープル留めシステムと共に使用する認証及び情報システムの様々な態様及び特徴は、図面を参照しながら以下に記載されているが、図面中の同じ数字は、いくつかのそれぞれの図において同一のまたは対応する構成要素を示す。
【図面の簡単な説明】
【００１２】
【図１】動力式外科手術ステープル留め器具の斜視図であり、ハンドルアセンブリ、装着ユニット、及び本開示の認証及び情報システムを組み込んでいる配送ブラケットを例示する図である。
【図２】図１の中で特定されている分離区域の拡大図であり、ハンドルアセンブリのハンドルインターフェースを例示する図である。
【図３】図１の中で特定されている分離区域の拡大図であり、配送ブラケットのブラケットインターフェース、及びハンドルアセンブリのハンドルインターフェースと接続するマイクロチップを例示する図である。
【図４】装着ユニットから取り外した配送ブラケットを例示する斜視図である。
【図５】ハンドルアセンブリに接続された配送ブラケットを伴ったステープル留め器具の斜視図である。
【図６】図５の中で特定されている分離区域の拡大図であり、ハンドルアセンブリのハンドルインターフェースと接続されている配送ブラケットのブラケットインターフェースを例示する図である。
【図７】第１及び第２の別々の装着ユニットの配送ブラケットと接続する第１及び第２のハンドルインターフェースを伴ったハンドルアセンブリを含むステープル留め器具の実施形態を例示する斜視図である。
【図８】図７の中で特定されている分離区域の拡大図であり、ハンドルアセンブリの第１及び第２のハンドルインターフェースを例示する図である。
【発明を実施するための形態】
【００１３】
本明細書にて開示されている外科手術ステープル留めシステムの実施形態は、図面を参照しながら詳細に記載されているが、図面の中で、同じ参照数字は、いくつかのそれぞれの図において同一のまたは対応する構成要素を示す。本明細書で使用するとき、用語「遠位の」は、臨床医からより遠い外科手術ステープル留め器具の部分、またはその器具の構成部品を指し、これに対して、用語「近位の」は、臨床医からより近い外科手術ステープル留め器具の部分、またはその器具の構成部品を指す。
【００１４】
本開示は、汎用性のある動力式ハンドルアセンブリを用いて使用する認証及び／または情報システムに関する。このハンドルアセンブリは、様々な外科手術作業を実行するように適合された複数の装着ユニットと個別に接続することが可能である。この認証及び／または情報システムは、マイクロチップを含み、そのマイクロチップは、装着ユニットの配送ブラケットに取り付けられ、その装着ユニットと関連付けられたデータを収容する。この配送ブラケットは、ブラケットインターフェースを含み、そのブラケットインターフェースは、ハンドルアセンブリのハンドルインターフェースに対して取り付け可能である。そのマイクロチップは、ハンドルアセンブリ内部のマイクロコントローラと通信し、装着ユニットの仕様内容をそのマイクロコントローラに送信する。このマイクロコントローラは、ハンドルアセンブリの動作を制御し、次いで安全ブラケット内部のマイクロチップにより送信された仕様内容に基づいて装着ユニットを動作させる。配送ブラケットの内部にマイクロチップを配置することにより、洗浄薬、血液、または他の体液との接触の可能性、及び装着ユニットの機能を保存しているマイクロチップの保全性に及ぼす潜在的な影響を排除する。
【００１５】
最初に図１を参照すると、本開示に基づいた認証及び情報システムを含む外科手術ステープル留め器具が例示されている。ステープル留め器具１０は、動力式ハンドルアセンブリ１２、ハンドルアセンブリ１２から遠位方向に延びているアダプタアセンブリ１４、及び少なくとも１つの装着ユニット１６を備える。この装着ユニット１６は、アダプタアセンブリ１４と選択的に接続可能である。この装着ユニット１６は、使い捨て装着ユニット（ＳＵＬＵ）または多目的装着ユニット（ＭＵＬＵ）とすることができる。この装着ユニット１６は、細胞組織に対するステープル針の線形配列を細胞組織の線形ステープル留めに適用するように適合されることができる。他の種類の装着ユニットとして、例えば円形吻合に関連してステープル針の円形配列を適用するように適合された装着ユニット、または細胞組織の上で外科手術作業を実行することが可能なエンドエフェクタを有する他の任意の種類の装着ユニットが含まれることが想定される。ハンドルアセンブリ１２、アダプタアセンブリ１４、及び装着ユニット１６の詳細な記載は、同一出願人、Ｚｅｍｌｏｃｋらの米国特許第８，９６８，２７６号を参照することによって確認されることができ、その内容全体が参照により本明細書に組み込まれる。
【００１６】
図１〜２を参照すると、ハンドルアセンブリ１２は、器具１０の動作を制御するための、メモリ、回路、論理回路等を有するマイクロコントローラ２０（概略的に図示されている）を包含するハンドルフレーム１８を備える。ハンドルアセンブリ１２は、電源を通じて電力が供給されるモータ及び関連する歯車装置（図示せず）をさらに含む。この電源は、以下に限定されないが、電池（充電式及び／または非充電式）またはＡＣ壁コンセントを含む任意の好適な電源とすることができる。ハンドルフレーム１８は、マイクロコントローラ２０と電気的に通信する少なくとも１つのハンドルインターフェース２２を備える。このハンドルインターフェース２２は、ハンドルフレーム１８の内部に延びている雌レセプタクルまたはソケットを含むことができる。別の方法では、このハンドルインターフェース２２は、電磁継手または無線手段を含んでもよい。
【００１７】
アダプタアセンブリ１６は、装着ユニット１６の動作を制御するモータ及び関連する歯車装置の移動、例えば回転または直線移動を変換するように適合されている機械部品を含む。装着ユニット１６は、細長い筐体２２、及び筐体２２に接続されたエンドエフェクタ２４を備える。この筐体２２は、アダプタアセンブリ１４に取り付け可能であり、いくつかの実施形態では、アダプタアセンブリ１４に解除可能に取り付けることができる。装着ユニット１６の筐体２２は、エンドエフェクタ２４の動作を制御する、アダプタアセンブリ１４の内部の対応する構成部品と接続する各種のプッシャ、リンク、歯車等を含む。先に論述されたように、エンドエフェクタ２４は、外科手術作業を実行するように適合され、いくつかの実施形態では、ステープル針の線形配列を細胞組織に適用するためのステープル針カートリッジ２６及びアンビル２８を含む。
【００１８】
図１、３及び４にて最適に示されているように、ステープル留め器具１０は、装着ユニット１６に取り付け可能な配送用くさびまたはブラケット３０をさらに含む。図４において、ブラケット３０は、装着ユニット１６から取り外して示されている。このブラケット３０は、装着ユニット１６の駆動構成部品の移動に連動しかつその連動を阻止するように構成され、その結果、装着ユニット１６をアダプタアセンブリ１４に取り付ける前に、配送中及び操作中、装着ユニット１６の構成部品の不注意な発射または移動を防止することができる。このブラケット３０は、ステープル針カートリッジ２６とアンビル２８との間で延在することができ、また使用する前に破損することからそれらの構成部品を保護することができる。このブラケット３０は、装着ユニット１６の上の方へ嵌め込む構成部品とすることができ、または任意の目的で装着ユニット１６を少なくとも部分的に密閉するように、もしくは装着ユニット１６に取り付けられるように、構成されている任意の他の構成部品とすることができる。
【００１９】
図３及び図４を参照すると、ブラケット３０は、そのブラケット３０の筐体に取り付けられた、またはそのブラケットの内部に少なくとも部分的に埋め込まれたマイクロチップ３２（影像で示されている）を含む。このマイクロチップ３２は、装着ユニット１６の仕様内容、例えば以下に限定されないが、カートリッジのサイズ、ステープル針の配列、ステープル針の長さ、締め付け高さの距離、製造年月日、有効期限、互換特性、一意の識別名（例えば、シリアルナンバ）、及び／または使用回数などを記憶し、ハンドルアセンブリ１２にそれらの仕様内容を送信することができる任意のチップを含む。いくつかの実施形態では、このマイクロチップ３２は、消去可能プログラム可能型読み取り専用メモリ（「ＥＰＲＯＭ」）マイクロチップを含む。このハンドルアセンブリ１２は、ブラケット３０の内部のマイクロチップ３２から送信された仕様内容に基づいて、発射力、発射ストローク、及び／または他の動作可能特性を調節することができる。さらに、このマイクロチップ３２は、ハンドルアセンブリ１２と、ブラケット３０したがって装着ユニット１６が使用されているマイクロチップ３２との間の通信を可能にする書き込み機能を含むことができると考えられ、このことにより、使用済み取り替えアセンブリの再装着もしくは再使用、または非認証の他のいかなる使用も防止することができる。
【００２０】
いくつかの実施形態では、このマイクロチップ３２は、以下に限定されないが、Ｍａｘｉｍ  Ｉｎｔｅｇｒａｔｅｄ（商標）ｏｆ  Ｓａｎ  Ｊｏｓｅ、Ｃａｌｉｆ社製の１−Ｗｉｒｅ  ＳＨＡ−２５６及び５１２−Ｂｉｔ  Ｕｓｅｒ  ＥＥＰＲＯＭ搭載のＤＳ２８Ｅ１５  ＤｅｅｐＣｏｖｅｒ（商標）Ｓｅｃｕｒｅ  Ａｕｔｈｅｎｔｉｃａｔｏｒなどのセキュアな認証マイクロチップを含む。これらの実施形態では、マイクロチップ３２の内容、及びそのマイクロチップ３２とハンドルアセンブリ１２との間の通信は、暗号化され、非認証のアクセスを防止する。これにより、低品質の模造品、再製造されたまたは「複製品」の装着ユニットの使用を排除し、ひいては未使用の信頼できる装着ユニットのみが外科手術手技の間に使用されるのを確実にすることによって患者に対するリスクを低減することができる。さらに、医療施設及び／または外科医が、模造品の装着ユニットをそうとは知らずに使用してしまったことに対する責任に曝され得る可能性は、大きく縮減され、したがって、医療サービスを提供する社会に対するコスト全体を低減することができる。いくつかの実施形態では、マイクロチップ３２は、「１ーｗｉｒｅ」通信インターフェースを利用し、それによって、マイクロチップ３２とハンドルアセンブリ１２との間の双方向シリアル通信の場合、単一信号導体が、接地導体と一緒に使用される。
【００２１】
ブラケット３０の内部のマイクロチップ３２は、そのブラケット３０のブラケットインターフェース３４と電気的に通信する。このブラケットインターフェース３４は、ハンドルアセンブリ１２のハンドルインターフェース２２と接続可能である。このブラケットインターフェース３４は、ハンドルフレーム１８のハンドルインターフェース２２のレセプタクルの内部に配置可能なプラグ接続を含むことができる。別の方法として、このブラケットインターフェース３４は、バス接続、ピン接続、マグネット式脱着接続、無線手段等を含んでもよい。このブラケットインターフェース３４は、ハンドルインターフェース２２に対して取り付けられる場合、ブラケット３０のマイクロチップ３２とハンドルアセンブリ１２のマイクロコントローラ２０との間で電気的な通信を確立する。
【００２２】
ここで、認証システムの使用について、論述する。ここで図４を参照すると、装着ユニット１６をアダプタアセンブリ１４に接続するときが来たとき、臨床医は、ブラケット３０を装着ユニット１６から取り外し、それによってエンドエフェクタ２４を露出させる。図４に示されている実施形態では、装着ユニット１６は、ステープル針カートリッジアセンブリ２６及びアンビルアセンブリ２８を有する線形ステープル留め装着ユニット（例えば、ＳＵＬＵまたはＭＵＬＵのどちらか一方）である。ステープル針カートリッジアセンブリ２６及びアンビルアセンブリ２８は、図４に示されている開放状態と、細胞組織がアセンブリ２６、２８の間に挟まれたおおよその状態との間の相対的な移動に対して適合されている。
【００２３】
図５〜６を参照すると、次いでブラケットインターフェース３４は、ハンドルインターフェース２２に取り付けられ、それによって、装着ユニット１６と関連付けられているブラケット３０のマイクロチップ３２をハンドルアセンブリ１２内部のマイクロコントローラ２０と電気的に接続することとなる。装着ユニット１６の種類及び／または詳細に関する認証は、マイクロチップ３２内部のデータをマイクロコントローラ２０に通信することを介して確認される。装着ユニットの種類の認証、及びそれが互換性のある装着ユニットであることの認証がなされると、そのブラケット３０は、ハンドルフレーム１８のハンドルインターフェース２２から取り外されることができ、ステープル針カートリッジアセンブリ２６及びアンビルアセンブリ２８は、細胞組織の周辺に配置されることができ、器具１０は発射されることとなる。いくつかの実施態様では、マイクロチップ３２は、書き込み機能を含むことができ、この機能により、装着ユニット１６がひとたび発射されると、引き続きハンドルフレーム２０からブラケット３０を取り外すことが可能になる。このことにより、使用済みの装着ユニット１６の再装着または再利用を防ぐことができる。
【００２４】
図７〜８は、１つの実施形態を例示しており、そこではハンドルアセンブリ１２が、マイクロコントローラ２０とそれぞれ電気的に通信する第１及び第２のハンドルインターフェース３６、３８を含む。いくつかの実施態様では、その第１のハンドルインターフェース３６は、ＳＵＬＵ型の装着ユニット４０に特化されることができ、その第２のハンドルインターフェース３８は、ＭＵＬＵ型の装着ユニット４２に特化されることができる。このため、装着ユニットの種類、例えばＳＵＬＵまたはＭＵＬＵのどちらか一方に応じて、装着ユニット４０、４２と関連付けられた配送ブラケット３０のそれぞれのブラケットインターフェースが、ハンドルアセンブリ１２の適切な第１または第２のハンドルインターフェース３６、３８と接続される。情報は、先に述べられた方法で、配送ブラケット３０の内部のマイクロチップ３２とマイクロコントローラ２０との間で伝達されることができる。別々の装着ユニットは、構造上別々の配送ブラケットを有し、このため第２のハンドルインターフェースの必要性が求められると考えられる。別々の装着ユニットと一緒に使用するように適合された他の種類のハンドルインターフェースもまた、想定される。
【００２５】
この認証システムは、同一出願人、Ｗｉｌｌｉａｍｓの米国特許出願公開第２０１６／０３６１０５７号に開示されているように、円形吻合装置用装着ユニットを含む様々なエンドエフェクタを有する各種の装着ユニットに組み込まれることができ、その内容全体が参照により本明細書に組み込まれる。
【００２６】
上述の内容から、及び各種の図面を参照しながら、当業者は、本開示の範囲を逸脱することなく、ある一定の変形例もまた、本発明の装着ユニット及び外科手術ステープル留め器具に対して作製されることが可能であることを理解するであろう。装着ユニット及び外科手術ステープル留め器具の開示のいくつかの実施形態が図面の中で示されてきたが、本開示は、それらに限定されることを意図せず、同じく、本開示は、当技術が許す範囲と同じ範囲であり、同様に本明細書が読み取られる範囲であることを意図している。したがって、上記の記載は、限定するものとして解釈されるべきではなく、単に特定の実施形態の例示として解釈されるべきである。当業者は、本願に添付された特許請求の範囲の領域及び趣旨の範囲内で他の変形例を想定するであろう。
【図１】
2018202145.tif 000003
【図２】
2018202145.tif 000004
【図３】
2018202145.tif 000005
【図４】
2018202145.tif 000006
【図５】
2018202145.tif 000007
【図６】
2018202145.tif 000008
【図７】
2018202145.tif 000009
【図８】
2018202145.tif 000010